(57)【特許請求の範囲】
【請求項１】
供給される駆動電流に基づいて第１光無線信号を送信する第１受発光部と、前記第１受発光部に前記駆動電流を供給する駆動部とを備える第１光無線装置と、
前記第１受発光部から送信される前記第１光無線信号を受信する第２受発光部と、前記第２受発光部において受信された前記第１光無線信号の信号強度を検出する検出部とを備える第２光無線装置と、
前記第２光無線装置の前記検出部において検出された前記信号強度を、前記第２光無線装置から前記第１光無線装置に第２光無線信号として送信するフィードバック手段と、を有し、
前記第１光無線装置は、前記フィードバック手段により受信した前記信号強度に基づいて前記駆動部が前記第１受発光部に供給する前記駆動電流の大きさを変更する処理部を備え、
前記第１受発光部及び前記第２受発光部のうち、一方のみが可動部に設けられ、
前記可動部は、第１軸方向に沿って移動可能であり、
前記第１受発光部と前記第２受発光部は、前記可動部に設けられた一方を他方に対して前記第１軸方向に沿ってのみ移動可能にすることにより、前記可動部が前記第１軸方向へ可動する範囲内において光軸が一致する、光無線通信システム。
【請求項２】
前記可動部は、前記光無線通信システムを備える装置において着脱可能に構成される、請求項１に記載の光無線通信システム。
【請求項３】
前記第２光無線装置は、前記可動部の駆動源であるモータに接続される、請求項１又は請求項２に記載の光無線通信システム。
【請求項４】
前記第２光無線装置は、前記第１光無線信号を受信する伝送路の切断によりデータの再送を要求する場合に、再送要求に比べて前記信号強度を優先して前記フィードバック手段により送信させる、請求項１乃至請求項３の何れかに記載の光無線通信システム。
【請求項５】
請求項１乃至請求項４の何れかに記載の前記光無線通信システムと、
前記可動部としてのスライダと、
を備え、
前記第１受発光部と前記第２受発光部は、前記可動部としてのスライダに設けられた一方を他方に対して前記スライダの前記第１軸方向に沿ってのみ移動可能にすることにより、前記スライダが前記第１軸方向へ可動する範囲内において光軸が一致する、電子部品装着装置。
【請求項６】
前記スライダに設けられた装着ヘッドと、
前記装着ヘッドにより電子部品が装着される基板を搬送する装置本体と、を備え、
前記スライダは、前記装着ヘッドを移動させ、前記装着ヘッドにより電子部品を基板へ装着し、
前記光無線通信システムは、前記電子部品の前記基板への装着作業に係るデータを伝送する、請求項５に記載の電子部品装着装置。
【請求項７】
前記第２光無線装置は、前記基板を撮像するマークカメラ、前記電子部品を撮像するパーツカメラ、前記スライダの駆動源であるモータ、及び前記電子部品の位置を検出する位置検出センサのうち、少なくとも一つに接続される、請求項６に記載の電子部品装着装置。
【発明の詳細な説明】
【技術分野】
【０００１】
本発明は、光無線通信を行う通信システム、及びその光無線通信システムを用いる電子部品装着装置に関するものである。
【背景技術】
【０００２】
従来、無線通信システムの一つとして赤外線などの光を用いた光無線通信システムがある。例えば、特許文献１には、送信装置から出力する光の強度を、送信装置と受信装置との距離に基づいて調整する光無線通信システムが開示されている。この光無線通信システムでは、送信装置と受信装置との距離を近距離、中距離及び遠距離の３段階の距離に分類し各距離に応じた強度の光をまとめて送信装置から送信する。受信装置の各々は、送信装置から各距離だけ離れた位置に配置され複数の光強度の光が含まれる光無線を各位置で受信する。
【先行技術文献】
【特許文献】
【０００３】
【特許文献１】特開２０１２−６０６８０号公報
【発明の概要】
【発明が解決しようとする課題】
【０００４】
上記した光無線通信システムは、各受信装置と送信装置との間の距離が予め設定されており、各距離に基づいた強度の光が送信されるものである。しかしながら、実際の通信では光強度が様々な要因で変動する場合があり、そのような光強度の変動に対し、予め決められた距離に基づく光強度の設定値の範囲では十分に対応することは難しい。例えば、この種の光無線通信システムでは、送信装置の光源としてレーザーダイオード（Laser Diode：ＬＤ）が用いられる。仮に、送信装置の各距離に対応する光源に同一規格のＬＤを用いたとしても、素子の劣化や温度特性のような素子固有の特性等によって各ＬＤの出力光が異なる光強度となる場合がある。従って、実際の通信において送信装置から出力される光の強度の変動に対応できる無線通信システムが望まれている。
【０００５】
本発明は、上記した課題を鑑みてなされたものであり、送信装置から出力される無線信号の信号強度の変動に対する追従性の向上が図れる光無線通信システム及びその光無線通信システムを用いる電子部品装着装置を提供することを目的とする。
【課題を解決するための手段】
【０００６】
上記課題を鑑みてなされた本願の請求項１に記載の光無線通信システムは、供給される駆動電流に基づいて第１光無線信号を送信する第１受発光部と、第１受発光部に駆動電流を供給する駆動部とを備える第１光無線装置と、第１受発光部から送信される第１光無線信号を受信する第２受発光部と、第２受発光部において受信された第１光無線信号の信号強度を検出する検出部とを備える第２光無線装置と、第２光無線装置の検出部において検出された信号強度を、第２光無線装置から第１光無線装置に第２光無線信号として送信するフィードバック手段と、を有し、第１光無線装置は、フィードバック手段により受信した信号強度に基づいて駆動部が第１受発光部に供給する駆動電流の大きさを変更する処理部を備え、第１受発光部及び第２受発光部のうち、一方のみが可動部に設けられ、可動部は、第１軸方向に沿って移動可能であり、第１受発光部と第２受発光部は、可動部に設けられた一方を他方に対して第１軸方向に沿ってのみ移動可能にすることにより、可動部が第１軸方向へ可動する範囲内において光軸が一致する。
【０００７】
また、請求項２に記載の光無線通信システムは、請求項１に記載の光無線通信システムにおいて、可動部は、光無線通信システムを備える装置において着脱可能に構成される。
【０００８】
また、請求項３に記載の光無線通信システムは、請求項１又は請求項２に記載の光無線通信システムにおいて、第２光無線装置は、可動部の駆動源であるモータに接続される。
また、請求項４に記載の光無線通信システムは、請求項１乃至請求項３の何れかに記載の光無線通信システムにおいて、第２光無線装置は、第１光無線信号を受信する伝送路の切断によりデータの再送を要求する場合に、再送要求に比べて信号強度を優先してフィードバック手段により送信させる。
【０００９】
また、請求項５に記載の電子部品装着装置は、請求項１乃至請求項４の何れかに記載の光無線通信システムと、可動部としてのスライダと、を備え、第１受発光部と第２受発光部は、可動部としてのスライダに設けられた一方を他方に対してスライダの第１軸方向に沿ってのみ移動可能にすることにより、スライダが第１軸方向へ可動する範囲内において光軸が一致する。
【００１０】
また、請求項６に記載の電子部品装着装置は、請求項５に記載の電子部品装着装置において、スライダに設けられた装着ヘッドと、装着ヘッドにより電子部品が装着される基板を搬送する装置本体と、を備え、スライダは、装着ヘッドを移動させ、装着ヘッドにより電子部品を基板へ装着し、光無線通信システムは、電子部品の基板への装着作業に係るデータを伝送する。
【００１１】
また、請求項７に記載の電子部品装着装置は、請求項６に記載の電子部品装着装置において、第２光無線装置は、基板を撮像するマークカメラ、電子部品を撮像するパーツカメラ、スライダの駆動源であるモータ、及び電子部品の位置を検出する位置検出センサのうち、少なくとも一つに接続される。
【発明の効果】
【００１２】
請求項１に記載の光無線通信システムでは、第１光無線装置の第１受発光部から第２光無線装置の第２受発光部に向けて第１光無線信号が送信される光無線通信システムにおいて、第２受発光部で受信した第１光無線信号の信号強度が検出部により検出され当該信号強度がフィードバック手段により第２光無線装置から第１光無線装置に向けて第２光無線信号として送信される。そして、第１光無線装置では、フィードバック手段により受信した信号強度に基づいて駆動部が第１受発光部に供給する駆動電流の大きさを変更する。
【００１３】
このような構成では、第１光無線信号の信号強度が受信側の第２光無線装置から送信側の第１光無線装置に無線信号（第２光無線信号）を用いて迅速にフィードバック処理され、送信側の第１受発光部の送信出力が変更される。従って、実際の通信での様々な要因によって生じる第１光無線信号の信号強度の変動に対する追従性の向上を図ることができる。
さらに、第１受発光部と第２受発光部は、一方のみが可動部に設けられる。可動部は、第１軸方向に沿って移動可能である。第１受発光部及び第２受発光部の一方を他方に対して第１軸方向に沿ってのみ移動可能にすることにより、可動部が第１軸方向へ可動する範囲内において光軸が一致する。このような構成では、第１及び第２受発光部の一方が可動する場合でも、光軸調整手段を用いずに光軸を一致させ、光無線通信を適切に実行できる。
【００１４】
また、請求項２に記載の光無線通信システムでは、第１及び第２受発光部のうち、少なくとも一方を設けられた可動部は、着脱可能に構成される。これにより、可動部を交換し、種類の異なる可動部において、第１光無線信号の信号強度の変動に対応しながら、光無線通信を実行できる。
【００１５】
また、請求項３に記載の光無線通信システムでは、第１光無線信号の信号強度の変動に対する追従性を向上させつつ、例えば、第１光無線装置に接続した装置本体から第２光無線装置に接続したモータへ動作指令（電子部品の基板への装着作業に係るデータ）を伝送できる。
また、請求項４に記載の光無線通信システムでは、第２光無線装置は、伝送路の切断によりデータの再送を要求する場合に、再送要求に比べて信号強度を優先して送信する。これにより、伝送路の切断が発生した場合に、送信側の第１光無線装置の送信出力を増加させた後にデータの再送が実行されることによって、データの再処理がより確実に実行できる。
【００１６】
また、請求項５に記載の電子部品装着装置では、可動部としてスライダを備える電子部品装着装置において、光軸調整手段なしに、例えばスライダと装置本体の間の通信で生じる光無線信号の信号強度の変動に対する追従性の向上を図った電子部品装着装置とすることができる。
【００１７】
また、請求項６に記載の電子部品装着装置では、装着ヘッドにより電子部品の基板への装着作業を行いつつ、装着作業に係るデータを光無線通信システムにより伝送することができる。
【００１８】
また、請求項７に記載の電子部品装着装置では、第１光無線信号の信号強度の変動に対する追従性を向上させつつ、例えば、第２光無線装置に接続したマークカメラから第１光無線装置に接続した装置本体へ撮像データ（電子部品の基板への装着作業に係るデータ）を伝送できる。
【図面の簡単な説明】
【００１９】
【図１】本実施形態の無線通信システムが適用される電子部品装着装置の斜視図である。
【図２】図１に示す電子部品装着装置の上部カバーを取り外した状態の概略平面図である。
【図３】電子部品装着装置のブロック図である。
【図４】光無線装置のブロック図である。
【発明を実施するための形態】
【００２０】
以下、本発明の実施形態について図を参照して説明する。初めに、本願の通信システムを適用する装置の一例として電子部品装着装置（以下、「装着装置」と略する場合がある）について説明する。
【００２１】
（装着装置１０の構成）
図１に示すように、装着装置１０は、装置本体１１と、装置本体１１に一体的に設けられる一対の表示装置１３と、装置本体１１に対して着脱可能に設けられる供給装置１５，１６とを備える。本実施形態の装着装置１０は、図３に示す制御装置８０の制御に基づいて、装置本体１１内に収容される搬送装置２１にて搬送される回路基板１７に対して電子部品（図示略）の装着作業を実施する装置である。なお、本実施例では、図１に示すように、搬送装置２１により回路基板１７が搬送される方向（図２における左右方向）をＸ軸方向、回路基板１７の搬送方向に水平でＸ軸方向に対して直角な方向をＹ軸方向と称し、説明する。
【００２２】
装置本体１１は、Ｘ軸方向の一端側でＹ軸方向における両端部に表示装置１３を各々備える。各表示装置１３は、タッチパネル式の表示装置であり、電子部品の装着作業に関する情報を表示する。また、装置本体１１は、Ｙ軸方向の両側から挟むようにして装着される供給装置１５，１６を備える。供給装置１５は、フィーダ型の供給装置であり、各種の電子部品がテーピング化されリールに巻回させた状態で収容されるテープフィーダ１５Ａを複数有している。供給装置１６は、トレイ型の供給装置であり、複数の電子部品が載置された部品トレイ１６Ａ（図２参照）を複数有している。
【００２３】
図２は、装置本体１１の上部カバー１１Ａ（図１参照）を取り除いた状態で装着装置１０を上方（図１における上側）からの視点において示した概略平面図である。図２に示すように、装置本体１１は、上記搬送装置２１と、回路基板１７に対して電子部品を装着する装着ヘッド２２と、その装着ヘッド２２を移動させる移動装置２３とを基台２０の上に備える。
【００２４】
搬送装置２１は、基台２０におけるＹ軸方向の略中央部に設けられており、１対のコンベアベルト３１と、コンベアベルト３１に保持された基板保持装置３２と、基板保持装置３２を移動させる電磁モータ３３とを有している。基板保持装置３２は回路基板１７を保持する。電磁モータ３３は、出力軸がコンベアベルト３１に駆動連結されている。電磁モータ３３は、例えば、回転角度を精度良く制御可能なサーボモータである。搬送装置２１は、電磁モータ３３の駆動に基づいてコンベアベルト３１が周回動作を行うことで、基板保持装置３２とともに回路基板１７がＸ軸方向に移動する。
【００２５】
装着ヘッド２２は、回路基板１７と対向する下面に電子部品を吸着する吸着ノズル４１を有する。吸着ノズル４１は、正負圧供給装置４２（図３参照）を介して負圧エア、正圧エア通路に通じており、負圧にて電子部品を吸着保持し、僅かな正圧が供給されることで保持した電子部品を離脱する。また、装着ヘッド２２は、吸着ノズル４１を昇降させるノズル昇降装置４３（図３参照）及び吸着ノズル４１を軸心回りに自転させるノズル自転装置４４（図３参照）を有しており、保持する電子部品の上下方向の位置及び電子部品の保持姿勢が制御装置８０からの制御に基づいて変更される。ノズル昇降装置４３は、駆動源として例えば電磁モータ４３Ａを備える。また、装着ヘッド２２は、保持する電子部品の上下方向の位置を検出するための位置検出センサ４５（図３参照）を有している。また、装着ヘッド２２には、回路基板１７を撮影するためのマークカメラ４７が下方を向いた状態で固定されている。なお、吸着ノズル４１は、装着ヘッド２２に対し着脱可能であり、電子部品のサイズ、形状等に応じて変更できる。
【００２６】
また、装着ヘッド２２は、移動装置２３によって基台２０上の任意の位置に移動する。詳述すると、移動装置２３は、装着ヘッド２２をＸ軸方向に移動させるためのＸ軸方向スライド機構５０と、装着ヘッド２２をＹ軸方向に移動させるためのＹ軸方向スライド機構５２とを備える。Ｘ軸方向スライド機構５０は、Ｘ軸方向に移動可能に基台２０上に設けられたＸ軸スライダ５４と、駆動源として電磁モータ５６とを有している。Ｘ軸スライダ５４は、電磁モータ５６の駆動に基づいてＸ軸方向の任意の位置に移動する。
【００２７】
Ｙ軸方向スライド機構５２は、Ｙ軸方向に移動可能にＸ軸スライダ５４の側面に設けられたＹ軸スライダ５８と、駆動源としての電磁モータ６０とを有している。Ｙ軸スライダ５８は、電磁モータ６０の駆動に基づいて、Ｙ軸方向の任意の位置に移動する。そして、装着ヘッド２２は、Ｙ軸スライダ５８に取り付けらており、移動装置２３の駆動にともなって基台２０上の任意の位置に移動する。これにより、マークカメラ４７は、装着ヘッド２２が移動させられることで回路基板１７の任意の位置の表面が撮像可能となる。マークカメラ４７により撮影された画像データは、画像処理装置７１（図３参照）により処理され制御装置８０に出力される。また、装着ヘッド２２は、Ｙ軸スライダ５８にコネクタ４８を介して取り付けられワンタッチで着脱可能であり、種類の異なる作業ヘッド、例えば、ディスペンサヘッド等に変更できる。
【００２８】
また、基台２０は、Ｙ軸方向の各側面部に供給装置１５，１６が接続されている。各供給装置１５，１６は、供給する電子部品の不足や電子部品の種類の変更等に対応するべく、基台２０に着脱可能とされている。また、基台２０には、各供給装置１５，１６が接続される部分におけるＸ軸方向の略中央部にパーツカメラ７３が各々設けられている。各パーツカメラ７３は、上方を向いた状態で固定されており、各供給装置１５，１６から装着ヘッド２２の吸着ノズル４１に吸着保持された電子部品を撮像する。パーツカメラ７３は、撮影された画像データを画像処理装置７１（図３参照）に出力する。画像処理装置７１は、処理したデータを制御装置８０に出力する。
【００２９】
（装着装置１０に適用される通信システム）
ここで、図３に示すように、本実施形態の装着装置１０は、装着装置１０の制御装置８０と制御装置８０以外の部分（各種装置）との間のデータ通信に光無線の多重化通信を用いる。なお、図３に示す装着装置１０の構成は、通信システムを適用する場合の一例であり、装着装置１０が備える装置の種類や数等に応じて適宜変更する。また、本願の通信システムは、装着装置１０に例示される電子部品装着装置の他に、様々な製造ラインにおいて稼働する自動機などに適用可能なシステムである。
【００３０】
図３に示すように、制御装置８０は、ＣＰＵ、ＲＯＭ、ＲＡＭ等を備えたコンピュータを主体とするコントローラ８２と、画像ボード８４と、駆動制御ボード８５と、Ｉ／Ｏボード８６とを備える。コントローラ８２は、各ボード８４，８５，８６を介して各装置と通信を行う。各ボード８４，８５，８６は、光無線装置９１を介して伝送路９５の一端に接続され、伝送路９５において光無線による通信が行われる。伝送路９５の他端は光無線装置９２を介して各種装置（カメラ、モータ、センサ等）に接続されている。例えば、図２に示すように、移動装置２３には、制御装置８０に接続される光無線装置９１の受発光部９３に対向して、光無線装置９２の受発光部９４が設けられている。受発光部９４は、光無線装置９１側の受発光部９３との間で光軸が一致するように移動装置２３のＸ軸スライダ５４に固定されている。これにより、受発光部９３，９４（光無線装置９１，９２）間で各種情報通信が可能とされている。
【００３１】
図３に示す画像ボード８４は、画像データの入出力を制御するボードである。例えば、コントローラ８２は、画像ボード８４を介して画像処理装置７１がマークカメラ４７の画像データに対する処理から検出した回路基板１７に関する情報（種類・形状等）や回路基板１７の基板保持装置３２による保持位置の誤差等のカメラ情報を受信する。駆動制御ボード８５は、電磁モータに対する動作指令や電磁モータからリアルタイムでフィードバックされる情報等の入出力を制御するボードである。例えば、コントローラ８２は、駆動制御ボード８５を介して電磁モータ４３Ａにより取得されるトルク情報や位置情報（吸着ノズル４１に保持される電子部品の上下位置）などのサーボ制御情報を受信する。Ｉ／Ｏボード８６は、例えば位置検出センサ４５の出力信号等の入出力を制御するボードである。これら制御装置８０に各装置から入力されるデータは、光無線装置９２により多重化された上で光無線信号として伝送路９５を伝送される。光無線装置９１は、伝送された多重化信号の多重化を解除し個々のデータに分離する処理を行う。光無線装置９１は、分離されたデータのうち、画像データを画像ボード８４に、サーボ制御情報を駆動制御ボード８５に、Ｉ／Ｏ信号をＩ／Ｏボード８６に転送する。
【００３２】
一方で、コントローラ８２は、光無線装置９１により受信された各データを処理する。コントローラ８２は、例えば処理結果に基づいた電磁モータ４３Ａに対する制御信号を、駆動制御ボード８５を介して光無線装置９１に出力する。光無線装置９２は、光無線装置９１から伝送される制御信号をノズル昇降装置４３に転送する。これにより、電磁モータ４３Ａが制御信号に基づいて動作する。また、コントローラ８２は、例えば表示装置１３の表示を変更する制御信号をＩ／Ｏボード８６、光無線装置９１，９２を介して表示装置１３に出力する。このように、制御装置８０と制御装置８０以外の各装置とで送受信される各種情報は、伝送路９５上を多重化されたデータ、例えば時分割多重（ＴＤＭ）方式のフレームデータとして送受信される。多重化通信は、例えば、データ転送レートが３ＧＢＰＳ、１フレームが８ｎｓｅｃ、１フレームのビット数が２４ビットである。
【００３３】
上述した装着装置１０では、基板保持装置３２に保持された回路基板１７に対して装着ヘッド２２によって電子部品の装着作業を行う。具体的には、コントローラ８２は、搬送装置２１を駆動して回路基板１７を作業位置まで搬送し、電磁モータ３３を停止させて回路基板１７を固定的に保持させる。コントローラ８２は、移動装置２３を駆動して装着ヘッド２２を回路基板１７上に移動させマークカメラ４７により回路基板１７を撮像する。この際に、コントローラ８２は、画像処理装置７１から受信した回路基板１７の種類及び回路基板１７の保持位置の誤差を判定する。次に、コントローラ８２は、基板の種類に対する判定結果に応じた電子部品を有する供給装置１５，１６を駆動し、該当する電子部品を装着ヘッド２２への供給位置に送り出す制御を行う。コントローラ８２は、移動装置２３を駆動して供給位置の搬送された電子部品を装着ヘッド２２の吸着ノズル４１により吸着保持させる。
【００３４】
次に、コントローラ８２は、電子部品を保持した装着ヘッド２２をパーツカメラ７３上に移動させて電子部品の状態を撮像させる。この際に、コントローラ８２は、撮像結果に基づいて電子部品の保持位置の誤差を取得する。コントローラ８２は、装着ヘッド２２を回路基板１７上の装着位置に移動させ回路基板１７及び電子部品の保持位置誤差に基づいて吸着ノズル４１を自転させた後に電子部品を回路基板１７に装着させる。
【００３５】
以下の説明では、上記した多重化通信を用いて電子部品の装着を実施する装着装置１０に適用して好適な無線通信システムについて説明する。
本実施形態の光無線装置９１，９２は、各受発光部９３，９４で受光された光の強度の値を送信側にフィードバックして送信側の受発光部９３，９４の送信出力の値が変更される。詳述すると、図４に示すように、光無線装置９１の受発光部９３は、送信のための発光素子としてのレーザーダイオード（Laser Diode：ＬＤ）９３Ａと、受光素子のフォトディテクタ（Photo detector：ＰＤ）９３Ｂとを備える。また、光無線装置９１は、マルチプレクサ（以下、「ＭＵＸ」という）１０１と、デマルチプレクサ（以下、「ＤＥＭＵＸ」という）１０２と、トランスインピーダンスアンプ（ＴＩＡ）回路１０３と、ＬＤ駆動回路１０４と、ＡＤ変換回路１０５と、制御部１０６とを備える。なお、光無線装置９２は、光無線装置９１と同様の構成となっている。図４に示すように、光無線装置９２の受発光部９４は、送信のための発光素子としてのレーザーダイオード（Laser Diode：ＬＤ）９４Ａと、受光素子のフォトディテクタ（Photo detector：ＰＤ）９４Ｂとを備える。また、光無線装置９２は、マルチプレクサ（以下、「ＭＵＸ」という）２０１と、デマルチプレクサ（以下、「ＤＥＭＵＸ」という）２０２と、トランスインピーダンスアンプ（ＴＩＡ）回路２０３と、ＬＤ駆動回路２０４と、ＡＤ変換回路２０５と、制御部２０６とを備える。以下の説明では主として光無線装置９１について説明し、光無線装置９２についての説明を適宜省略する。
【００３６】
光無線装置９１のＰＤ９３Ｂは、光無線装置９２のＬＤ９４Ａから伝送路９５を通じた光無線の無線信号を受信する。ＰＤ９３Ｂは、受光される光の強度に応じて変換される電流を電気信号としてＴＩＡ回路１０３に出力する。ＴＩＡ回路１０３は、ＰＤ９３Ｂから入力される電流信号をパルス信号の電圧信号に変換しＤＥＭＵＸ１０２に出力する。ＤＥＭＵＸ１０２は、ＴＩＡ回路１０３から入力されるパルス信号からビット列のデータ信号を検出し、多重化を解除し個々のデータに分離して制御装置８０（図３参照）の各ボード８４，８５，８６に出力する。
【００３７】
一方、光無線装置９１のＭＵＸ１０１は、制御装置８０の各ボード８４，８５，８６から入力されるデータ信号を多重化してＬＤ駆動回路１０４に出力する。ＬＤ駆動回路１０４は、入力信号に基づいてＬＤ９３Ａに供給する駆動電流を制御する。ＬＤ９３Ａは、ＬＤ駆動回路１０４から供給される駆動電流に基づいた光強度の無線信号を、伝送路９５を通じて光無線装置９２のＰＤ９４Ｂに向けて送信する。
【００３８】
例えば、光無線装置９１から光無線装置９２に向けたデータ転送では、制御装置８０（駆動制御ボード８５）から出力される電磁モータ４３Ａ（図３参照）に対する制御情報が、ＭＵＸ１０１で多重化されＬＤ駆動回路１０４を介してＬＤ９３ＡからＰＤ９４Ｂに送信される。光無線装置９２では、ＰＤ９４Ｂ及びＴＩＡ回路２０３を介してＤＥＭＵＸ２０２に入力された信号から多重化を解除して制御情報が検出される。ノズル昇降装置４３（図３参照）は、ＤＥＭＵＸ２０２において検出された制御情報が入力されその制御情報に基づいて電磁モータ４３Ａが制御される。
【００３９】
ここで、このような装着装置１０の通信システムでは、様々な要因によって受発光部９３，９４の間の光強度が変動する。例えば、光無線装置９１のＬＤ９３Ａと光無線装置９２のＬＤ９４Ａとに同一規格のレーザーダイオードを用いたとしても、素子の劣化や温度特性のような素子固有の特性等によって各ＬＤ９３Ａ，９４Ａの送信出力の値が異なる場合がある。
【００４０】
また、装着装置１０は、図２に示すように受発光部９３（光無線装置９１）が装着装置１０に対して固定されている一方で、受発光部９４（光無線装置９２）がＸ軸方向に可動する移動装置２３に設けられている。このような光無線通信を行う受発光部９３，９４の一方が他方に対して相対的に変位する装着装置１０では、移動装置２３の可動にともなって受発光部９３，９４間の距離、即ち、伝送路９５の距離が変動する。伝送路９５の変動にともない各受発光部９３，９４（ＰＤ９３Ｂ，９４Ｂ）で受光される光の強度が変動する。ＬＤ９３Ａ，９４Ａから出力されるレーザ光は、光源からの距離に応じて広がった領域に拡散、例えば、ガウシアンビームのＴＥＭ００モードのような光源から対照的な波面に拡散する。このため、ＰＤ９３Ｂ，９４Ｂで受光される光の強度は、仮に伝送路９５中（例えば、空気中）の減衰が生じなくとも伝送路９５の距離に比例して減少する。
【００４１】
上記したような様々な要因によって光の強度に変動が生じると、伝送されるデータの誤りの増大や伝送路９５の切断等が生じる。そこで、本実施形態の光無線装置９１，９２は、ＰＤ９３Ｂ，９４Ｂで受光された光の強度を送信側にフィードバックしてＬＤ９３Ａ，９４Ａの送信出力を変更する。
【００４２】
図４に示すように、光無線装置９１のＴＩＡ回路１０３は、ＰＤ９３Ｂから入力される電流信号に基づいた受信信号強度（ＲＳＳＩ）をＡＤ変換回路１０５に出力する。ＡＤ変換回路１０５は、ＴＩＡ回路１０３から入力されるＲＳＳＩに基づいた光強度情報ＯＩをＭＵＸ１０１に出力する。ＴＩＡ回路１０３は、例えば、受信信号強度に応じた電圧信号をＡＤ変換回路１０５に出力する。ＡＤ変換回路１０５は、例えば、複数のコンパレータを備え、各コンパレータにはＲＳＳＩの電圧値が分圧して入力される。各コンパレータでは、分圧された電圧値と基準電圧とが比較され、比較結果の複数のビット値が光強度情報ＯＩとしてＭＵＸ１０１に出力される。つまり、光強度情報ＯＩは、ＲＳＳＩの大きさを表すビット値が設定される。なお、光無線装置９１には、ＡＤ変換回路１０５の各コンパレータの出力端子に接続される複数のＬＥＤ１０８が設けられており、各ＬＥＤ１０８がＲＳＳＩの電圧値の大きさに応じて点灯する。これにより、使用者は、光無線装置９１で受信される無線信号（光強度）のＲＳＳＩの大きさがＬＥＤ１０８の点灯から確認できる。
【００４３】
光無線装置９２のＤＥＭＵＸ２０２は、ＴＩＡ回路２０３から入力されるビット列から光強度情報ＯＩを検出し制御部２０６に出力する。制御部２０６は、入力された光強度情報ＯＩに基づいてＬＤ駆動回路２０４からＬＤ９４Ａに供給される駆動電流の大きさを変更する。例えば、制御部２０６は、光無線装置９１のＰＤ９３Ｂで受光される光の強度が低下した値を示す光強度情報ＯＩがフィードバック処理された場合に、ＬＤ駆動回路２０４に対してＬＤ９４Ａに対する駆動電流を大きくする制御を実行する。これにより、受信側で実際に受光される光の強度に応じて送信側の送信出力が調整でき、伝送路９５における伝送データの誤りの増大や伝送路９５の切断が防止できる。
【００４４】
また、光強度情報ＯＩには、ＬＤ９３Ａ，９４Ａの送信出力を増大させる大きさの上限を示すビット値が設定されている。詳述すると、制御部２０６は、光強度情報ＯＩのビット値に基づいてＬＤ駆動回路２０４を段階的に制御する。例えば、光強度情報ＯＩが８ビットであれば、２５６通りの制御情報に基づいて駆動電流が制御できる。しかしながら、例えばＰＤ９３Ｂで受光される光の強度が低下するのにともなって駆動電流を増大させる制御情報を無制限に光強度情報ＯＩに対して設定すると、ＬＤ９４Ａの送信出力が不必要に増大することとなる。例えば、使用者が作業中に誤って手で伝送路９５を遮りＰＤ９３Ｂで受光される光強度がほぼゼロとなると、ＬＤ９４Ａの送信出力が無制限に増大して光強度が作業者にとって危険となるレベルにまで大きくなる恐れがある。また、不要な電力が消費される。そこで、光強度情報ＯＩにＬＤ９４Ａの送信出力を増大させる上限を示すビット値を付加することで、制御部２０６において駆動電流を増大させる量を制限でき、光強度を制限すると共に不要な消費電力が低減できる。なお、光強度情報ＯＩに設定される上限を示すビット値は、伝送路９５の最大距離（この場合、移動装置２３がＸ軸方向の端部まで移動した距離）等に基づいて設定することができる。また、例えば、上記したＬＥＤ１０８がすべて消灯した場合をＬＤ９４Ａの送信出力を制限する条件に設定することで、ＬＥＤ１０８の点灯によって、使用者に対してＲＳＳＩの低下と送信出力を制限する制御が実施されたことを報知できる。
【００４５】
また、ＭＵＸ１０１，２０１及びＤＥＭＵＸ１０２，２０２の間の多重化通信は、時分割多重方式のフレームデータが送受信されている。例えば、ＭＵＸ１０１は、各ボード８４，８５，８６からのデータ転送レートと伝送路９５のデータ転送レートと変換を実行する速度変換回路（図示略）が設けられている。ＭＵＸ１０１は、ＡＤ変換回路１０５から入力される光強度情報ＯＩを速度変換回路により付加されるフレームのダミーデータに設定して伝送する。あるいは、ＭＵＸ１０１は、例えば、フレームデータのビット列のうち、データが定義されていないビット値に光強度情報ＯＩを設定して伝送してもよい。これにより、光無線装置９１，９２の間で送受信されるデータ伝送に対する影響を少なくしてフィードバック処理が実行できる。なお、光無線装置９１，９２は、伝送路９５とは別に光強度情報ＯＩをフィードバックする無線回線を備える構成としてもよい。
【００４６】
また、ＴＩＡ回路１０３，２０３は、ＰＤ９３Ｂ，９４Ｂからの入力毎にＲＳＳＩを出力する構成となっている。これにより、ＰＤ９３Ｂ，９４Ｂで受光される光の強度の変動に対する追従性を高めることができる。なお、ＴＩＡ回路１０３，２０３は、所定の時間間隔でＲＳＳＩの平均値を算出して出力する構成としてもよい。これにより、光の強度の変動に対する追従性を高めつつ、他の回路（ＭＵＸ１０１等）におけるフィードバック処理に係る処理負荷が低減できる。
【００４７】
また、制御部１０６，２０６は、ＣＰＵなどのプロセッサで構成せずに、ＦＰＧＡ（Field Programmable Gate Array）などのプログラム可能なロジックデバイスで構成してもよい。また、ＬＤ駆動回路１０４，２０４は、ＬＤ９３Ａ，９４Ａの駆動電流を変更する可変抵抗回路を備えてもよい。この可変抵抗回路は、例えば、制御部１０６，２０６から入力される光強度情報ＯＩ（ビット値）に基づいて直列に接続された複数の抵抗素子の接続が選択され合成抵抗値が変更されることによって出力される駆動電流が変更される構成とする。可変抵抗回路の複数の抵抗素子は、ＬＤ９３Ａ，９４Ａの駆動電流の値がＬＤ９３Ａ，９４Ａの規定の範囲内で段階的に変更可能な抵抗値の抵抗素子が選択可能に接続されている。このような構成では、光強度情報ＯＩのフィードバック処理に光無線の通信を用いるとともに、制御部１０６，２０６及びＬＤ駆動回路１０４，２０４におけるフィードバック処理をハードウェアで処理することによって、光強度の変動に対する追従性を高めることができる。一例として、移動装置２３がＸ軸方向の両端の最大距離（例えば、２．５ｍ）を数secで移動する場合に、受光から駆動電流の変更までを数μｓｅｃオーダーで処理でき、追従性を十分に高めることができる。
【００４８】
以上、詳細に説明した本実施形態によれば以下の効果を奏する。
本実施形態の装着装置１０では、各ＰＤ９３Ｂ，９４Ｂで受光された光の強度がＴＩＡ回路１０３，２０３により受信信号強度（ＲＳＳＩ）として検出されＡＤ変換回路１０５，２０５から光強度情報ＯＩとして送信側の光無線装置９２，９１に送信される。送信側の光無線装置９２，９１では、制御部２０６，１０６が光強度情報ＯＩに基づいてＬＤ駆動回路２０４，１０４のＬＤ９４Ａ，９３Ａに対して供給する駆動電流の大きさを制御する。これにより、光強度情報ＯＩが光無線の通信を用いて迅速にフィードバック処理され、ＬＤ９４Ａ，９３Ａの送信出力が変更されることによって、ＬＤ９４Ａ，９３Ａの送信出力の変動に対する追従性の向上を図った光無線通信システムが構築できる。
【００４９】
なお、本発明は上記の実施形態に限定されるものではなく、本発明の趣旨を逸脱しない範囲内での種々の改良、変更が可能であることは言うまでもない。
例えば、上記実施形態では、光無線による通信を例に説明したが、本願はこれに限定されるものではなく、赤外線や可視光などの他に様々な電磁波を用いた無線通信にも適用できる。このような構成であっても、無線通信の発信機器の特性や伝送路の距離に応じて無線電波の減衰等が生じるため、本願発明を適用することで上記した効果と同様の効果を得ることができる。
また、上記実施形態では多重化された無線通信を例に説明したが、本願はこれに限定されるものではく、多重化を用いない無線通信に本願発明を適用してもよい。
【００５０】
また、上記実施形態において、伝送路９５の切断等により、ＬＤ９３Ａ，９４Ａの受信信号強度（ＲＳＳＩ）がゼロあるいはゼロに近い値となった場合に、光無線装置９１，９２を停止する構成や使用者にその旨を知らせる警報を発する構成としてもよい。これにより、例えば、機器同士の接触により受発光部９３，９４の光軸がずれ伝送路９５が切断された場合に、使用者が受発光部９３，９４の向きを修正して装着装置１０を起動する等の適切な対応ができる。
【００５１】
また、上記実施形態において、光無線装置９１，９２は、ＴＩＡ回路１０３，２０３とＡＤ変換回路１０５，２０５との各々の間に対数変換回路を設けた構成としてもよい。例えば、ＴＩＡ回路１０３，２０３から出力されるＲＳＳＩの電圧値の最大値と最小値との比率（ダイナミックレンジ）が大きい場合には、ＡＤ変換回路１０５，２０５から出力される光強度情報ＯＩに必要なビット幅が増大し、光強度情報ＯＩを伝送するのに必要なデータ量が増大する場合がある。そのため、ＴＩＡ回路１０３，２０３とＡＤ変換回路１０５，２０５との間に対数変換回路を設けてＲＳＳＩを対数変換することで、光強度情報ＯＩに必要なビット幅が圧縮できデータ量が削減できる。
【００５２】
また、光無線装置９１，９２は、伝送路９５の切断によりデータの再送を要求する場合に、再送要求に比べて光強度情報ＯＩを優先して送信する構成としてもよい。これにより、伝送路９５の切断が発生した場合に、ＬＤ９３Ａ，９４Ａの送信出力を増加させた後にデータの再送が実行されることによって、データの再処理がより確実に実行できる。
【００５３】
また、光無線装置９１，９２は、伝送路９５の切断が一定時間継続した場合に、フィードバックを実施する側のＬＤ９３Ａ，９４Ａの送信出力を増大させて光強度情報ＯＩを送信する構成としてもよい。これにより、光強度情報ＯＩをより確実に送信することができる。
【００５４】
また、上記実施形態では、光無線装置９１，９２の一方（光無線装置９２）を可動部（移動装置２３）に設けたが、両方の光無線装置９１，９２を固定する、あるいは両装置が可動する構成としてもよい。
【００５５】
また、上記実施形態の装着装置１０の構成は一例であり、適宜変更する。例えば装着装置１０は、一対の光無線装置９１，９２を備えたが２以上の複数個を備える構成としてもよい。また、例えば、装置本体１１に対して着脱可能な移動装置２３を複数備えた構成としてもよい。また、例えば、コンベアベルト３１を複数個（複数レーン）備えた構成としてもよい。また、例えば、複数の装着装置１０を搬送方向に駆動連結した構成としてもよい。
【００５６】
なお、特許請求の範囲の用語との対応関係は以下の通りである。
装着装置１０は、電子部品装着装置の一例として、受発光部９３は、第１受発光部の一例として、ＬＤ駆動回路１０４は、駆動部の一例として、光無線装置９１は、第１光無線装置の一例として、ＬＤ９３ＡからＰＤ９４Ｂへの光無線信号は、第１光無線信号の一例として、受発光部９４は、第２受発光部の一例として、ＴＩＡ２０３及びＡＤ変換回路２０５は、検出部の一例として、光無線装置９２は、第２光無線装置の一例として、ＬＤ９４Ａ及びＰＤ９３Ｂは、フィードバック手段の一例として、制御部１０６は、処理部の一例として、移動装置２３は、可動部の一例として挙げられる。
【符号の説明】
【００５７】
１０  装着装置、９１，９２  光無線装置、９３，９４  受発光部、９３Ａ，９４Ａ  ＬＤ、９３Ｂ，９４Ｂ  ＰＤ、１０１，２０１  ＭＵＸ、１０２，２０２  ＤＥＭＵＸ、１０３，２０３  ＴＩＡ回路、１０４，２０４  ＬＤ駆動回路、１０５，２０５  ＡＤ変換回路、１０６，２０６  制御部。
【図１】
0006587658.tif 000002
【図２】
0006587658.tif 000003
【図３】
0006587658.tif 000004
【図４】
0006587658.tif 000005